(57)【特許請求の範囲】
【請求項１】
基地局によって、システムメッセージ１と他のシステムメッセージとを含む通常のシステムメッセージを送信するシステムメッセージの送信方法であって、
前記他のシステムメッセージを送信するに用いられるサブフレームを、前記システムメッセージ１を送信するに用いられるサブフレームと異なるタイムスロットに設定し、
前記システムメッセージ１の送信ウィンドウが前記他のシステムメッセージの送信ウィンドウと重なる場合、前記システムメッセージ１の送信ウィンドウ内において、前記システムメッセージ１及び前記他のシステムメッセージを送信する
ことを特徴とするシステムメッセージの送信方法。
【請求項２】
前記他のシステムメッセージの場合、
予定の無線フレームのシステムフレーム番号で対応する一つ又は複数のシステムメッセージのディスバッチ周期にモジュラ計算を行った結果が０である予定の関係に従って、複数の予定の無線フレーム及び各予定の無線フレームに対応する一つ又は複数の前記他のシステムメッセージを確定するステップと；
前記システムメッセージ１に配置された前記他のシステムメッセージのディスバッチ情報の順に従って、前記予定の無線フレームにおいて確定された一つ又は複数の前記他のシステムメッセージの送信を開始するステップを更に含む
ことを特徴とする請求項１記載のシステムメッセージの送信方法。
【請求項３】
送信ウィンドウが重なる場合、前記送信順が先の前記他のシステムメッセージを先に送信する
ことを特徴とする請求項２記載のシステムメッセージの送信方法。
【請求項４】
前記他のシステムメッセージが連続式の再送信形態を取る場合、前記送信ウィンドウにおいて、同一の前記他のシステムメッセージを１回のみ送信する
ことを特徴とする請求項２又は３記載のシステムメッセージの送信方法。
【請求項５】
送信が遅延された前記他のシステムメッセージの後に送信されるシステムメッセージの場合、前記送信が遅延されたシステムメッセージを送信した後に送信する
ことを特徴とする請求項４記載のシステムメッセージの送信方法。
【請求項６】
基地局によって、システムメッセージ１と他のシステムメッセージとを含む通常のシステムメッセージを送信するシステムメッセージの送信方法であって、
予定の無線フレームのシステムフレーム番号で対応する一つ又は複数のシステムメッセージのディスバッチ周期にモジュラ計算を行った結果が０である予定関係に従って、複数の予定の無線フレーム及び各予定の無線フレームに対応する一つ又は複数の前記他のシステムメッセージを確定するステップと；
前記システムメッセージ１に配置された前記他のシステムメッセージのディスバッチ情報の順に従って、前記予定の無線フレームにおいて確定された一つ又は複数の前記他のシステムメッセージの送信を開始するステップと；
一つ又は複数の前記他のシステムメッセージの送信に用いられるサブフレームを、前記システムメッセージ１の送信に用いられるサブフレームと異なるタイムスロットに設定するステップと、を含み、
前記システムメッセージ１の送信ウィンドウが前記他のシステムメッセージの送信ウィンドウと重なる場合、前記システムメッセージ１の送信ウィンドウにおいて前記システムメッセージ１及び前記他のシステムメッセージを送信する
ことを特徴とするシステムメッセージの送信方法。
【請求項７】
送信ウィンドウが重なる場合、前記送信順が先である前記他のシステムメッセージを先に送信する
ことを特徴とする請求項６記載のシステムメッセージの送信方法。
【請求項８】
システムメッセージが連続式の再送信形態を取る場合、
前記送信ウィンドウにおいて、前記同一のシステムメッセージを１回のみ送信する
ことを特徴とする請求項６又は７記載のシステムメッセージの送信方法。
【請求項９】
端末により、システムメッセージ１と他のシステムメッセージとを含み、基地局から下り送信されるシステムメッセージを受信するシステムメッセージの受信方法であって、
前記端末が前記他のシステムメッセージを受信する際に用いられるサブフレームを、前記端末が前記システムメッセージ１を受信する際に用いられるサブフレームと異なるタイムスロットに設定し、
前記システムメッセージ１の送信ウィンドウが前記他のシステムメッセージの送信ウィンドウと重なる場合、前記端末が前記他のシステムメッセージを受信する際に用いられるサブフレームを、前記端末が前記システムメッセージ１を受信する際に用いられるサブフレームと同一タイムスロットに設定することを含む
ことを特徴とするシステムメッセージの受信方法。
【請求項１０】
前記システムメッセージ１以外の他のシステムメッセージの場合、
予定の無線フレームのシステムフレーム番号で対応する一つ又は複数の前記他のシステムメッセージのディスバッチ周期にモジュラ計算を行った結果が０である予定関係に従って、複数の予定の無線フレーム及び各予定の無線フレームに対応する一つ又は複数の他のシステムメッセージを確定するステップと；
前記システムメッセージ１に配置された前記他のシステムメッセージのディスバッチ情報の順に従って、予定の無線フレームにおいて確定された一つ又は複数の前記他のシステムメッセージの受信を開始するステップと、を含む
ことを特徴とする請求項９記載のシステムメッセージの受信方法。
【請求項１１】
ウィンドウが重なる場合、前記送信順が先である前記他のシステムメッセージを先に受信する
ことを特徴とする請求項１０記載のシステムメッセージの受信方法。
【請求項１２】
システムメッセージが連続式の再送信形態を取る場合、前記受信ウィンドウにおいて、同一の前記他のシステムメッセージを１回のみ受信する
ことを特徴とする請求項１０又は１１記載のシステムメッセージの受信方法。
【発明の詳細な説明】
【技術分野】
【０００１】
本発明は、長期進化（Long-Term Evolution、ＬＴＥと略称）システムに関し、特に、移動セルラネットワークのシステムメッセージの送信及び受信方法に関する。
【背景技術】
【０００２】
ＬＴＥシステムにおいて、システムメッセージは、メインシステムメッセージ（ＭＩＢ）と、通常のシステムメッセージ（ＳＩ）とに分けられる。その中、ＭＩＢは、放送チャンネルにおいて４０ミリ秒の固定の送信周期で送信され、即ち、ＭＩＢの１周期において、常にシステムフレーム番号（System Frame Number、ＳＦＮと略称）モジュラ４＝０（即ち、ＳＦＮ％４＝０）の時で最初の送信が発生する。ＳＩは、ダウン共有チャンネルにおいて送信され、その中、システムメッセージ1（ＳＩ−１）は、８０ミリ秒を固定の送信周期とし、即ち、ＳＩ−１の周期における最初の送信は常にＳＦＮモジュラ８＝０の時で発生する。その他、ディスバッチ周期、送信ウィンドウパラメータ等を含むＳＩのディスバッチ情報は、ＳＩ−１に含まれる。端末は、これらのディスバッチ情報から、ＳＩの送信時間又は時間範囲を推定することができる。システムメッセージの送信は、専用の混合自動再送信請求（Hybrid Automatic Repeat Request、ＨＡＲＱと略称）によって、ダウン専用制御チャンネル（Dedicated Physical Control Channel、ＤＰＣＣＨと略称）において専用の無線ネットワーク一時識別子（Radio Network Temporary Identifier、ＲＮＴＩと略称）を介して他のダウンシグナリング又はデータと区別をつける。
【０００３】
端末の角度から見ると、システムメッセージの接続過程は、セルにおいて検索を行った後、端末は、まず、ＭＩＢを受信し、その後、ＳＩ−１のディスバッチ特徴に基づいて、ＳＩ−１のコンテンツを受信する。そして、ＳＩ−１から他のＳＩのディスバッチ規律を推定し、所定の時間内に受信する。ＳＩを受信する場合、端末は、該ＳＩに対応するＤＰＣＣＨから該ＳＩを載せられた無線資源の説明情報、例えば周波数資源、変調及びコーディングスキーム（Modulation and Coding scheme、ＭＣＳと略称）等を取得し、つまり、ＳＩの資源のディスバッチは動態的である。
【０００４】
関連するシステムパラメータは１つのシステムメッセージブロック（System Infornation Block、ＳＩＢと略称）に追加され、例えば、セルの再選択に関するパラメータは１つの同一のＳＩＢに組み込まれ、ＳＩに１つ又は複数のＳＩＢが含まれ、これらのＳＩＢのディスバッチは同じであるが、ディスバッチ周期が同一であるＳＩＢが１つのＳＩに含まれるとは限らない。つまり、異なるＳＩが同一のディスバッチ周期を有することはできる。例えば、隣り合うセルのＳＩの場合、隣り合うセルを、周波数内隣り合うセルと、周波数間隣り合うセルと、ＧＳＭ/ＥＤＧＥ無線アクセスネットワーク（ＧＳＭ/ＥＤＧＥ Radio Access Network、ＧＥＲＡＮと略称）隣り合うセルと、ＵＭＴＳ陸地無線アクセルネットワーク（ＵＭＴＳ Terrestrial Radio Access Network、ＵＴＲＡＮと略称）隣り合うセルと、符号分割多元接続（Code Division Multiple Access、ＣＤＭＡと略称）２０００隣り合うセルと、等に分かることができる。
【０００５】
システムメッセージのカバー範囲を広めるため、ＭＩＢとＳＩは１周期内において重複して送信される。例えば、ＭＩＢは、４０ミリ秒の周期内において、４回再送信される。通常、ＳＩの重複形態は、連続式の重複形態と、間隔式の重複形態との二つがある。連続式の重複形態とは、ＳＩの再送信が短いタイムウィンドウにて完成され、端末が該再送信するコンテンツを該タイムウィンドウにおいて連続して受信する形態である。間隔式の重複形態は、再送信されるコンテンツの間に一定の時間間隔を有し、端末は、２回の再送信の間において連続して受信する必要がない形態である。間隔式の重複形態の最大のメリットは、端末の受信のダイバシティの増加が可能であることである。
【０００６】
ネットワークは、ディスバッチ規律に従って、ＭＩＢとＳＩを絶え間なく送信するが、システムメッセージは周期性のある放送コンテンツであるので、端末は全てのＭＩＢとＳＩを受信する必要がなく、有効のシステムメッセージを読取った後、システムメッセージのコンテンツが変更されない限り、又は、端末により有効のシステムメッセージを記憶したか否かを確定できなくならない限り、既に受信したＳＩをスキップすることができる。そして、異なる端末は異なる機能を有するので、一部の端末にとって、例えば、ＣＤＭＡ２０００を支援しない端末にとって、ＣＤＭＡ２０００隣り合うセルのＳＩは無効であるので、端末はＣＤＭＡ２０００を含むＳＩをずっと読取らないことと選択できる。しかし、このような端末の動作の前提条件は、端末がＳＩの送信の開始時間及び終了時間を明確に把握していることである。
【０００７】
しかし、端末がＳＩのディスバッチ周期のみに基づいて、ＳＩ送信の開始時間及び終了時間を確定できない場合があるが、それはＳＩディスバッチ周期の間には通常、互いに簡単の倍数の関係を有し、さらに、ディスバッチ周期が同様なＳＩもあるからである。例えば、ＳＩ−１のディスバッチ周期が８０ミリ秒で、ＳＩ−２のディスバッチ周期が１６０ミリ秒で、ＳＩ−３とＳＩ−４のディスバッチ周期が３２０ミリ秒であると、ＳＦＮモジュラ８＝０である無線フレームにおいて、例えばＳＦＮ＝３２０であると、ＳＩ−１、ＳＩ−２、ＳＩ−３、ＳＩ−４が同時に現れる。ここで、注意しなければならないのは、ＳＩ−３とＳＩ−４は常に重なって一緒にディスバッチされ、この時、端末は、ＳＩ−３とＳＩ−４の送信の開始時間及び終了時間を判定することができなく、システムメッセージを正確に選択して受信することができない。
【０００８】
既存のシステムメッセージの送信中において、ＳＩ−１と他のシステムメッセージとの間に再送信が重なることを許可しない。ＳＩ−１のディスバッチ周期は固定されたもので、即ち、８０ミリ秒であるので、周期内においてＳＩ−１を複数回再送信する必要があると、他のＳＩに残される空間は少なくなる。例えば、ＳＩ−１を４回再送信する必要があると、各無線フレームにてＳＩ−１を1回しか送信できないので、ＳＩ−１は四つの無線フレームを占め、その結果、他のシステムメッセージに残される空間は四つの無線フレームのみで、即ち、４０ミリ秒である。勿論、ＳＩ−１の再送信は他のシステムメッセージのディスバッチに影響を与えている。従って、該課題を解決できる技術が要求されている。
【発明の概要】
【発明が解決しようとする課題】
【０００９】
本発明は、既存技術において他のシステムメッセージに対するＳＩ−１メッセージの再送信の影響を低減する必要がある課題に鑑みてなされたものである。従って、本願はシステムメッセージの送信及び受信方法を提供することを目的とする。
【課題を解決するための手段】
【００１０】
上記の目的を実現するため、本発明の一方面によると、基地局によって、システムメッセージ１と他のシステムメッセージとを含む通常のシステムメッセージを送信するシステムメッセージ送信方法を提供する。
【００１１】
本願のシステムメッセージ送信方法は、他のシステムメッセージを送信するに用いられるサブフレームを、システムメッセージ１を送信するに用いられるサブフレームとを、異なるタイムスロットに設定するステップを含む。
【００１２】
そして、システムメッセージ１の送信ウィンドウが他のシステムメッセージの送信ウィンドウと重なる場合、システムメッセージ１の送信ウィンドウ内において、システムメッセージ１及び他のシステムメッセージを送信する。
【００１３】
他のシステムメッセージの場合、予定の無線フレームのシステムフレーム番号で対応する一つ又は複数のシステムメッセージのディスバッチ周期にモジュラ計算を行った結果が０である予定の関係に従って、複数の予定の無線フレーム及び各予定の無線フレームに対応する一つ又は複数のシステムメッセージを確定するステップと；システムメッセージ１に配置された他のシステムメッセージのディスバッチ情報の順に従って、予定の無線フレームにおいて確定された一つ又は複数の他のシステムメッセージの送信を開始するステップを更に含むことが好ましい。
【００１４】
そして、送信ウィンドウが重なると、送信順が先の他のシステムメッセージを先に送信する。
【００１５】
システムメッセージが連続式の再送信形態を取る場合、送信ウィンドウが重なる同一のシステムメッセージについて、送信ウィンドウにおいて、同一のシステムメッセージを１回のみ送信することが好ましい。
【００１６】
予め設定された送信順が、送信が遅延されたシステムメッセージの後に送信されるシステムメッセージの場合、遅延されたシステムメッセージを送信した後に送信することが好ましい。
【００１７】
上記の目的を実現するため、本発明の一方面によると、システムメッセージ１と他のシステムメッセージとを含む他のシステムメッセージ送信方法を提供する。
【００１８】
本願によるシステムメッセージ送信方法は、予定の無線フレームのシステムフレーム番号で対応する一つ又は複数のシステムメッセージのディスバッチ周期にモジュラ計算を行った結果が０である予定関係に従って、複数の予定の無線フレーム及び各予定の無線フレームに対応する一つ又は複数の他のシステムメッセージを確定するステップと；システムメッセージ１に配置された他のシステムメッセージのディスバッチ情報の順に従って、予定の無線フレームにおいて確定された一つ又は複数の他のシステムメッセージの送信を開始するステップと；送信された一つ又は複数の他のシステムメッセージに用いられるサブフレームを、システムメッセージ１の送信に用いられるサブフレームと異なるタイムスロットに設定するステップと、を含む。
【００１９】
その中、重なりがある場合、送信順が先である他のシステムメッセージを先に送信する。
【００２０】
また、システムメッセージ１の送信ウィンドウが他のシステムメッセージの送信ウィンドウと重なる場合、システムメッセージ１の送信ウィンドウにおいてシステムメッセージ１及び他のシステムメッセージを送信する。
【００２１】
システムメッセージが連続式の再送信形態を取る場合、送信ウィンドウが重なる同一のシステムメッセージについて、送信ウィンドウにおいて、同一のシステムメッセージを1回のみ送信することが好ましい。
【００２２】
上記の目的を実現するため、本願の他の一方面によると、端末により、システムメッセージ１と他のシステムメッセージとを含み、基地局から下り送信されるシステムメッセージを受信するシステムメッセージ受信方法を提供する。
【００２３】
本願によるシステムメッセージ受信方法は、端末により他のシステムメッセージを受信する際に用いられるサブフレームを、端末によりシステムメッセージ１を受信する際に用いられるサブフレームと異なるタイムスロットに設定する、ことを含む。
【００２４】
システムメッセージ１以外の他のシステムメッセージの場合、予定の無線フレームのシステムフレーム番号で対応する一つ又は複数のシステムメッセージのディスバッチ周期にモジュラ計算を行った結果が０である予定関係に従って、複数の予定の無線フレーム及び各予定の無線フレームに対応する一つ又は複数の他のシステムメッセージを確定するステップと；システムメッセージ１に配置された他のシステムメッセージのディスバッチ情報の順に従って、予定の無線フレームにおいて確定された一つ又は複数の他のシステムメッセージの受信を開始するステップと、を含むことが好ましい。
【００２５】
ウィンドウが重なる場合、送信順が先である他のシステムメッセージを先に受信することが好ましい。
【００２６】
システムメッセージが連続式の再送信形態を取る場合、受信ウィンドウにおいて、同一の他のシステムメッセージを1回受信することが好ましい。
【発明の効果】
【００２７】
本願による上記の少なくとも一つの方面によると、ＳＩ−１メッセージの送信ウィンドウが他のシステムメッセージの送信ウィンドウと重なることを許可することによって、又はＳＩ−１メッセージの受信ウィンドウが他のシステムメッセージの受信ウィンドウと重なることを許可することによって、ＳＩ−１メッセージの再送信が他のシステムメッセージのディスバッチに影響を与える問題を解決し、他のシステムメッセージに対するＳＩ−１メッセージの再送信の影響を低減することができる。
【００２８】
本発明の他の特徴及びメリットは、明細書において説明され、明細書における説明からさらに明確になり、又は本発明を実施することによってさらに把握できる。本発明の目的及び他のメリットは明細書と特許請求の範囲及び図面において特別に指摘した構造によって実現して取得できる。
【図面の簡単な説明】
【００２９】
図面は、本発明を更に理解するためのものであり、明細書の一部を構成する。また、本発明の実施例と共に本発明を解釈するもので、本発明を限定するものではない。図面において、
【図１】は、本発明の実施例一に係るシステムメッセージ送信方法のフローチャートである。
【図２】は、本発明の実施例一に係るシステムメッセージ送信方法の実施例１を示す図である。
【図３】は、本発明の実施例一に係るシステムメッセージ送信方法の一部処理のフローチャートである。
【図４】は、本発明の実施例一に係るシステムメッセージ送信方法の実施例２を示す図である。
【図５】は、本発明の実施例一に係るシステムメッセージ送信方法の実施例３を示す図である。
【図６】は、本発明の実施例一に係るシステムメッセージ送信方法の実施例４を示す図である。
【図７】は、本発明の実施例二に係るシステムメッセージ送信方法のフローチャートである。
【図８】は、本発明の実施例に係るシステムメッセージ受信方法のフローチャートである。
【発明を実施するための形態】
【００３０】
(機能の説明)
上記のように、既存のシステムメッセージ送信方法において、ＳＩ−１と他のシステムメッセージとの間で再送信が重なることが許可されないので、ＳＩ−１の再送信が過多の無線フレームを占めることによって、他のシステムメッセージの送信に影響を与えた。該問題に鑑み、本願は、上記他のシステムメッセージの送信に用いられるサブフレームを、上記システムメッセージ1の送信に用いられるサブフレームと異なるタイムスロットに設定したシステムメッセージ送信方法及び受信方法を提供することを目的とする。
【００３１】
以下の説明において、システムメッセージＳＩ−１ないしＳＩ-６は、以下の関係を有する：
ＳＩＢ１（コンテンツはCell Access informationに関する情報）はＳＩ−１にマッピングされ；ＳＩＢ２（コンテンツはCommon and shared channel informationに関する情報）はＳＩ−２にマッピングされ；ＳＩＢ３（コンテンツはCell Reselection Informationに関する情報）はＳＩ−３にマッピングされ；ＳＩＢ４（コンテンツはＬＴＥ intra-frequency neighbouring cellに関する情報）はＳＩ−４にマッピングされ；ＳＩＢ５（コンテンツはＬＴＥ inter-frequency neighbouring cellに関する情報）はＳＩ−５にマッピングされ；ＳＩＢ６（コンテンツはＵＴＲＡＮ neighbouring cellに関する情報）はＳＩ−６にマッピングされる。
【００３２】
以下、図面を参照して本願の好適な実施例を説明する。但し、ここで説明した好適な実施例は本願を説明及び解釈するもので、本願を限定するものではない。
【００３３】
以下において、本願を理解するように、解釈のため複数の特定の細部内容を説明する。しかし、これらの特定の細部内容がない状況下においても、本願を実現できることは自明なことであって、本願の特許請求の範囲の精神及び範囲を離脱しない限り、以下の実施例及び実施例における各細部内容に各種の変更を行うことができる。
【００３４】
(方法実施例一)
本願の実施例によると、まず、システムメッセージの送信方法を提供する。図１は、本願の実施例に係るシステムメッセージの送信方法のフローチャートである。図１に示すように、以下のステップ（ステップＳ１０２−ステップＳ１０４）を含む：
システムメッセージ１（ＳＩ−１）の送信ウィンドウを、システムフレーム番号でシステムメッセージ１のディスバッチ周期にモジュラ計算を行った結果が０である無線フレームから開始するように設定するステップＳ１０２と；
システムメッセージ１の後に送信待ちの他のシステムメッセージがある場合、システムメッセージ１の送信ウィンドウにおいて、システムメッセージ１及びシステムメッセージ１後の他のシステムメッセージを送信し、本実施例においては、他のシステムメッセージを送信するに用いられるサブフレームを、システムメッセージ１を送信するに用いられるサブフレームと異なるタイムスロットに設け、即ち、他のシステムメッセージを送信するに用いられるサブフレームがシステムメッセージ１を送信するに用いられるサブフレームと異なるタイムスロットに位置するように設定するステップＳ１０４。
【００３５】
該実施例において、1、システムメッセージ１の送信ウィンドウが他のシステムメッセージの送信ウィンドウと重なると、システムメッセージ１の送信ウィンドウにおいて、システムメッセージ１及び他のシステムメッセージを送信する。２、送信ウィンドウが重なると、送信順が先である他のシステムメッセージを先に送信する。３、他のシステムメッセージが連続式の再送信形態を取る場合、送信ウィンドウにおいて、同一の他のシステムメッセージを1回送信する。４、送信が遅延された他のシステムメッセージ後に送信される他のシステムメッセージについて、送信が遅延された他のシステムメッセージを送信した後に送信する。
【００３６】
理解のため、ＳＩ−１のディスバッチ周期が８０ｍｓであると、ＳＦＮ％８＝０である無線フレームにおいてＳＩ−１の送信を開始し、具体的には、６４０ｍｓ内において、これらの無線フレームは、ＳＦＮ＝０、ＳＦＮ＝８、ＳＦＮ＝１６、ＳＦＮ＝３２、ＳＦＮ＝４０、ＳＦＮ＝４８、ＳＦＮ＝５６である無線フレームである。
【００３７】
(実施例１)
図２に示す実施例によって上記の過程を更に理解することができる。図２に示す実施例において、ＳＩ−２のディスバッチ周期は１６０ｍｓで、ＳＩ−３のディスバッチ周期は３２０ｍｓで、ＳＩ−４、ＳＩ−５とＳＩ−６のディスバッチ周期は６４０ｍｓである。
【００３８】
システムフレームが０から開始し、ネットワークは６４０ミリ秒の時間内において、ＳＩ−１を８回、ＳＩ−２を４回、ＳＩ−３を２回、他のＳＩを１回重複したと仮設する。また、ＳＩ−１の送信ウィンドウは４０ミリ秒で、他のシステムメッセージの送信ウィンドウのサイズは２０ミリ秒であって、各システムメッセージの送信順はＳＩ−１、ＳＩ−２、ＳＩ−３、ＳＩ−４、ＳＩ−５、ＳＩ−６であると仮設する。図２に示すように、ＳＦＮ＝０の位置において、システムメッセージ間の送信順はＳＩ−１、ＳＩ−２、ＳＩ−３、ＳＩ−４、ＳＩ−５、ＳＩ−６であって、ＳＩ−１とＳＩ−２の起点は同一で、即ち、ＳＩ−１とその後のＳＩ−２は同時に送信され、ＳＦＮ＝１６の位置において、ＳＩ−１とＳＩ−２は同時に送信される。
【００３９】
そして、システムメッセージ１の送信ウィンドウが他のシステムメッセージの送信ウィンドウと重なる場合、システムメッセージ１の送信ウィンドウにおいてシステムメッセージ１及び他のシステムメッセージを送信し、即ち、本願において、ＳＩ−１の送信ウィンドウが他のシステムメッセージの送信ウィンドウと重なることを許可する。例えば、図２におけるＳＦＮ＝８の場合、ＳＩ−１を送信しなければならなく、ＳＩ−８も送信しなければならないが、本願によると、ＳＩ−８とＳＩ−１とを同時に送信する。
【００４０】
このように、ＳＩ−１の送信ウィンドウにおいて、１つ又は複数のシステムメッセージ、又は１つのシステムメッセージの一部を送信することができる。そのため、他のシステムメッセージに対するＳＩ−１の再送信の影響を低減することができる。
【００４１】
一方、既存のシステムメッセージの送信方法において、ネットワークによってディスバッチ規律に従って絶え間なく送信するＭＩＢ（メインシステムメッセージ）とＳＩ（通常のシステムメッセージ）について、端末は選択的に受信することができるが、端末がこのような操作を行う前提条件は、端末がＳＩの送信開始及び終了時間を明確に把握していることである。ＳＩのディスバッチ情報のみに基づいては（例えば、システムメッセージが重なる場合）、上記の前提条件を満たすことができない。
【００４２】
ここで、本願の実施例に係るシステムメッセージの送信方法において、さらに、図３に示す処理を行う：
システムメッセージ１以外の他のシステムメッセージについて、予め、システムメッセージの送信順を、システムメッセージ１に配置されたシステムメッセージのディスバッチ情報の順に一致するように設定するステップＳ３０２と；
予定の無線フレームのシステムフレーム番号で１つ又は複数のシステムメッセージのディスバッチ周期にモジュラ計算を行った結果が０である予定の関係に従って、複数の予定の無線フレーム及び各予定の無線フレームに対応する１つ又は複数のシステムメッセージを確定するステップＳ３０４と；
予め設定された送信順に従って、予定の無線フレームにおいて確定された１つ又は複数のシステムメッセージを送信し、送信ウィンドウが重なると、予め設定した送信順が先であるシステムメッセージを先に送信するステップＳ３０６と、を行う。
【００４３】
更に、図２を参照すると、ＳＩ−１に配置されたディスバッチ情報を順はＳＩ−２、ＳＩ−３、ＳＩ−４、ＳＩ−５、ＳＩ−６であると、本願によると、システムメッセージの送信順はＳＩ−２、ＳＩ−３、ＳＩ−４、ＳＩ−５、ＳＩ−６である（上記のステップＳ３０２に相当）。
【００４４】
６４０ｍｓの時間内において、ＳＦＮ＝０である無線フレームの場合、ＳＦＮ％８＝０、ＳＦＮ％１６＝０、ＳＦＮ％３２＝０、ＳＦＮ％６４＝０であるので、ＳＦＮ＝０である無線フレームにおいて送信されるシステムメッセージはＳＩ−１以外、ＳＩ−２、ＳＩ−３、ＳＩ−４、ＳＩ−５、ＳＩ−６もあり、送信順はＳＩ−１、ＳＩ−２、ＳＩ−３、ＳＩ−４、ＳＩ−５、ＳＩ−６である。
【００４５】
上記の方法によると、同様に、ＳＦＮ＝８である無線フレームの場合、ＳＦＮ％８＝０であるので、ＳＦＮ＝８である無線フレームから送信を開始するシステムメッセージはＳＩ−１だけであって、ＳＦＮ＝１６である無線フレームの場合、ＳＦＮ％８＝０、ＳＦＮ％１６＝０であるので、ＳＦＮ＝１６である無線フレームから送信を開始するシステムメッセージはＳＩ−１以外、ＳＩ−２もあると確定できる。類似に、ＳＦＮ＝２４である物理フレームの場合、ＳＦＮ％８＝０であるので、ＳＦＮ＝２４である無線フレームにおいて送信されるシステムメッセージはＳＩ−１だけであって；ＳＦＮ＝３２である物理フレームの場合、ＳＦＮ％８＝０、ＳＦＮ％１６＝０、ＳＦＮ％３２＝０であるので、ＳＦＮ＝３２である無線フレームにおいて送信されるのはＳＩ−１以外、ＳＩ−２、ＳＩ−３もあって；ＳＦＮ＝４０である物理フレームの場合、ＳＦＮ％８＝０であるので、ＳＦＮ＝４０である無線フレームにおいて送信されるシステムメッセージはＳＩ−１だけであって；ＳＦＮ＝４８である無線フレームの場合、ＳＦＮ％８＝０、ＳＦＮ％１６＝０であるので、ＳＦＮ＝４８である無線フレームにおいて送信されるシステムメッセージはＳＩ−１以外、ＳＩ−２もあり；ＳＦＮ＝５６である無線フレームの場合、ＳＦＮ％８＝０であるので、ＳＦＮ＝５６である無線フレームにおいて送信されるシステムメッセージはＳＩ−１だけである（上記のプロセスはステップＳ３０４に相当）。
【００４６】
上記の設定に基づいて、ＳＦＮ＝０である物理フレームにおいてＳＩ−１、ＳＩ−２、ＳＩ−３、ＳＩ−４、ＳＩ−５、ＳＩ−６を送信し、ＳＦＮ＝８である物理フレームにおいてＳＩ−１とＳＩ−６を送信し、且つ、両方の送信ウィンドウは重なっていて、ＳＦＮ＝１６である物理フレームにおいて、ＳＩ−１とＳＩ−２の送信を同時に開始する。他の無線フレームの送信状況も図２を参照して理解することができる。（上記のステップＳ３０６に相当）
【００４７】
図２において、各システムメッセージは連続式の再送信のメカニズムを採用し、図２に示すように、上記のシステムメッセージの最後のディスバッチ規律は以下の通りである：
ＳＩ−１：ＳＦＮ％８＝０
ＳＩ−２：ＳＦＮ％１６＝０
ＳＩ−３：ＳＦＮ％３２＝２
ＳＩ−４：ＳＦＮ％６４＝４
ＳＩ−５：ＳＦＮ％６４＝６
ＳＩ−６：ＳＦＮ％６４＝８。
【００４８】
(実施例２)
図４に示す実施例において、システムメッセージ１及び他のシステムメッセージの送信ウィンドウが何れも４０ミリ秒であって、ＳＩに配置されたディスバッチ情報の順はＳＩ−２、ＳＩ−３、ＳＩ−４、ＳＩ−５、ＳＩ−６であると仮設する。ステップＳ３０２と、ステップＳ３０４の処理は図２に示す実施例に類似するので、ここでは説明を省略する。
【００４９】
図４に示すように、ＳＦＮ＝０である位置において、システムメッセージ間の送信順はＳＩ−１、ＳＩ−２、ＳＩ−３、ＳＩ−４、ＳＩ−５、ＳＩ−６であって、ＳＩ−１とＳＩ−２との起点は同一である。（上記のステップＳ1０４の処理に相当）
【００５０】
ＳＦＮ＝８である位置において、ＳＩ−４とＳＩ−１の送信ウィンドウが重なるので、本願の実施例に係る技術思想によると、図４に示すように、ＳＩ−４とＳＩ−１とは、ＳＩ−１の送信ウィンドウにおいて送信される。
【００５１】
ＳＦＮ＝１６である位置において、システムメッセージの間の送信順は、ＳＩ−１、ＳＩ−２であって、ＳＩ−１とＳＩ−２は同時に送信される。ＳＩ−６は、ＳＦＮ＝１６である時に放送が開始されるはずであるが、ＳＩ−１のディスバッチ規律によって、ＳＩ−２もＳＦＮ＝１６である時から放送が開始されるので、本願によると、ＳＩ−６の放送はＳＩ−２の後に遅延される。
【００５２】
他のＳＦＮ％８＝０である位置において、本願に係る方法によると、システムメッセージが順次放送され、例えば、ＳＦＮ＝３２である位置において、システムメッセージの放送順はＳＩ−１、ＳＩ−２、ＳＩ３であって、ＳＩ−１とＳＩ−２との起点は同一である。
【００５３】
該実施例において、各システムメッセージは連続式の再送信メカニズムを採用し、各メカニズムのディスバッチ規律は以下の通りである：
ＳＩ−１：ＳＦＮ％８＝０
ＳＩ−２：ＳＦＮ％１６＝０
ＳＩ−３：ＳＦＮ％３２＝４
ＳＩ−４：ＳＦＮ％６４＝８
ＳＩ−５：ＳＦＮ％６４＝1２
ＳＩ−６：ＳＦＮ％６４＝２０。
【００５４】
上記のように、ＳＩ−１の送信ウィンドウが他のシステムメッセージの送信ウィンドウと重なることを許可すると共に、各システムメッセージの送信順を設定することによって、他のシステムメッセージに対するＳＩ−１の再送信の影響を低減できると共に、端末が各システムメッセージの送信開始時間及び終了時間を把握でき、需要に応じて選択的に受信することができる。
【００５５】
そして、本願において、送信ウィンドウが重なる同一のシステムメッセージの場合、送信ウィンドウにおいて、同一のシステムメッセージを1回のみ送信し、以下、図５に示す実施例を結合して詳しく説明する。
【００５６】
(実施例３)
該実施例において、送信ウィンドウのサイズが４０ｍｓであって、他のシステムメッセージのディスバッチは何れも実施例１と実施例２と同じであると仮設する。そして、該実施例における送信順はＳＩ−１、ＳＩ−４、ＳＩ−５、ＳＩ−６、ＳＩ−３、ＳＩ−２である。
【００５７】
ＳＦＮ＝０である無線フレームにおいて送信されるシステムメッセージはＳＩ−１、ＳＩ−２、ＳＩ−３、ＳＩ−４、ＳＩ−５、ＳＩ−６があり、且つ送信順はＳＩ−１、ＳＩ−４、ＳＩ−５、ＳＩ−６、ＳＩ−３、ＳＩ−２で；ＳＦＮ＝８である無線フレームにおいて送信されるシステムメッセージはＳＩ−１；ＳＦＮ＝１６である無線フレームにおいて送信されるシステムメッセージはＳＩ−１、ＳＩ−２；ＳＦＮ＝２４である無線フレームにおいて送信されるシステムメッセージはＳＩ−１があり； ＳＦＮ＝３２である無線フレームにおいて送信されるシステムメッセージの送信順はＳＩ−１、ＳＩ−３、ＳＩ−２であり；ＳＦＮ＝４０である無線フレームにおいて送信されるシステムメッセージはＳＩ−１；ＳＦＮ＝４８である無線フレームにおいて送信されるシステムメッセージはＳＩ−１、ＳＩ−２；ＳＦＮ＝5６である無線フレームにおいて送信されるシステムメッセージはＳＩ−１がある。
【００５８】
上記内容に基づいて、図５を参照すると、ＳＦＮ＝０である場合、ＳＩ−１、ＳＩ−４、ＳＩ−５、ＳＩ−６、ＳＩ−２、ＳＩ−３の順にシステムメッセージが送信され、本願によると、ＳＩ−２が送信される位置はＳＦＮ＝１６である。一方、ディスバッチ規律によると、ＳＦＮ＝１６の位置においてＳＩ−１、ＳＩ−２の送信を開始しなければならなく、即ち、ＳＦＮ＝１６である無線フレームにおいて送信を開始するシステムメッセージ中のＳＩ−２もＳＦＮ＝１６の位置から送信され、つまり、ＳＩ−２メッセージとＳＩ−２メッセージが重なる。この場合、重なる送信ウィンドウにおいて、ＳＩ−２を1回のみ放送し、実際は第1回の放送（即ち、放送が遅延された）であるＳＩ−２はキャンセルされた。
【００５９】
(実施例４)
該実施例において、間隔式の再送信方法を採用する。1回毎の送信ウィンドウのサイズは１０ミリ秒で、ＳＩに配置されたディスバッチ情報の順はＳＩ−１、ＳＩ−２、ＳＩ−３、ＳＩ−４、ＳＩ−５、ＳＩ−６である。その中、ＳＩ−１の再送信は1回であって、ＳＩ−２とＳＩ−３の再送信は２回行い、ＳＩ−４、ＳＩ−５とＳＩ−６の再送信は６回行う。間隔式の再送信方法において、まず、全てのＳＩの第1回の送信の開始時間を決定し、他の再送信の開始時間は、均一の間隔を増加すればよい。例えば、図６において、ＳＩ−２の第１回の送信の開始時間はＳＦＮ％１６＝０で、ＳＩ−２を２回再送信されると、次の再送信の開始時間はＳＦＮ％１６＝８である。具体的なディスバッチ内容は図５を参照。
【００６０】
具体的には、該実施例においてシステムメッセージの各再送信のディスバッチ規律は以下の通りである：
【００６１】
【表１】
0005506107.tif 000002
【００６２】
上記の実施例のように、本願の方法による実施例において、ＳＩ−１の送信ウィンドウが他の送信ウィンドウと重なることを許可し、他のシステムメッセージに対するＳＩ−１メッセージ再送信の影響を低減し、システムメッセージを送信順を設定することによって、システムメッセージの送信が重なる場合、端末がシステムメッセージの送信開始時間及び終了時間を確定することが可能となり、対応する選択を行うことができる。
【００６３】
(方法実施例二)
本願の実施例によると、他のシステムメッセージの送信方法を提供する。図７は、本願の実施例二に係るシステムメッセージの送信方法のフローチャートである。図７に示すように、以下のステップを含む（ステップＳ７０２−ステップＳ７０６）：
予めシステムメッセージの送信順を、システムメッセージ１に配置されたシステムメッセージのディスバッチ情報の順に一致するように設定するステップＳ７０２と；
予定の無線フレームのシステムフレーム番号で対応する１つ又は複数のシステムメッセージのディスバッチ周期にモジュラ計算結果が０である予定関係に従って、複数の予定の無線フレーム及び各予定の無線フレームに対応する１つ又は複数のシステムメッセージを確定するステップＳ７０４と；
予め設定した送信順に従って、予定の無線フレームにおいて確定された１つ又は複数のシステムメッセージを送信するステップＳ７０６と、を行うが、その中、システムメッセージ１の後に送信待ちの他のシステムメッセージがある場合、システムメッセージ１の送信ウィンドウ内において、システムメッセージ１及びシステムメッセージ１後の他のシステムメッセージを送信すると共に、送信ウィンドウがシステムメッセージ１と重なるシステムメッセージについて、システムメッセージ１の送信ウィンドウにおいてシステムメッセージ１と同時に送信し；システムメッセージ１以外のシステムメッセージについて、送信ウィンドウが重なる場合、予め設定した送信順が先のシステムメッセージを先に送信する。その中、システムメッセージ１の送信ウィンドウにおいて他のシステムメッセージを送信するに用いられるサブフレームは、システムメッセージ１を送信するに用いられるサブフレームと異なっているタイムスロットに設定されるステップＳ７０６。
【００６４】
上記の方法実施例一と類似に、システムメッセージ１の送信ウィンドウが他のシステムメッセージの送信ウィンドウと重なる場合、システムメッセージ１の送信ウィンドウ内においてシステムメッセージ１と他のシステムメッセージを送信する。また、送信ウィンドウが重なる同一のシステムメッセージがある場合、送信ウィンドウにおいて、同一のシステムメッセージを1回のみ送信する。
【００６５】
以下、図４に示す実施例を例として該方法実施例を説明する。
まず、ＳＩに配置されたディスバッチ情報の順はＳＩ−２、ＳＩ−３、ＳＩ−４、ＳＩ−５、ＳＩ−６であって、即ち、システムメッセージの送信順は、ＳＩ−１、ＳＩ−２、ＳＩ−３、ＳＩ−４、ＳＩ−５、ＳＩ−６である（ステップＳ７０２に相当）。
【００６６】
その後、６４０ｍｓの時間内において、ＳＦＮ＝０である無線フレームの場合、ＳＦＮ％８＝０、ＳＦＮ％１６＝０、ＳＦＮ％３２＝０、ＳＦＮ％６４＝０であるので、ＳＦＮ＝０である無線フレームにおいて送信されるシステムメッセージはＳＩ−１、ＳＩ−２、ＳＩ−３、ＳＩ−４、ＳＩ−５、ＳＩ−６があり、送信順はＳＩ−１、ＳＩ−２、ＳＩ−３、ＳＩ−４、ＳＩ−５、ＳＩ−６である。
【００６７】
上記の方法によると、ＳＦＮ＝８である無線フレームの場合、ＳＦＮ％８＝０であるので、ＳＦＮ＝８である無線フレームにおいて送信が開始されるシステムメッセージはＳＩ−１があり，ＳＦＮ＝１６である無線フレームの場合、ＳＦＮ％８＝０、ＳＦＮ％１６＝０であるので、ＳＦＮ＝１６である無線フレームにおいて送信が開始されるシステムメッセージはＳＩ−１、ＳＩ−２がある。類似に、ＳＦＮ＝２４である物理フレームの場合、ＳＦＮ％８＝０であるので、ＳＦＮ＝２４である無線フレームにおいて送信されるシステムメッセージはＳＩ−１があり；ＳＦＮ＝３２である物理フレームの場合、ＳＦＮ％８＝０、ＳＦＮ％１６＝０、ＳＦＮ％３２＝０であるので、ＳＦＮ＝３２である無線フレームにおいて送信されるシステムメッセージはＳＩ−１、ＳＩ−２、ＳＩ−３があり；ＳＦＮ＝４０である物理フレームの場合、ＳＦＮ％８＝０であるので、ＳＦＮ＝４０である無線フレームにおいて送信されるシステムメッセージはＳＩ−１があり；ＳＦＮ＝４８である無線フレームの場合、ＳＦＮ％８＝０、ＳＦＮ％１６＝０であるので、ＳＦＮ＝４８である無線フレームにおいて送信されるシステムメッセージはＳＩ−１、ＳＩ−２があり；ＳＦＮ＝5６である無線フレームの場合、ＳＦＮ％８＝０であるので、ＳＦＮ＝5６である無線フレームにおいて送信されるシステムメッセージはＳＩ−１がある（上記のプロセスはステップＳ７０４に相当）。
【００６８】
図４に示すように、ＳＦＮ＝０の位置において、システムメッセージ間の送信順はＳＩ−１、ＳＩ−２、ＳＩ−３、ＳＩ−４、ＳＩ−５、ＳＩ−６であって、ＳＩ−１とＳＩ−２は起点が同一である。
【００６９】
ＳＦＮ＝８の位置において、ＳＩ−４とＳＩ−１の送信ウィンドウが重なるので、本願の実施例によると、図４に示すように、ＳＩ−４とＳＩ−１はいずれもＳＩ−１の送信ウィンドウ内において送信される。
【００７０】
ＳＦＮ＝１６の位置において、システムメッセージ間の送信順はＳＩ−１、ＳＩ−２であって、ＳＩ−１とＳＩ−２とは同時に送信される。ＳＩ−６は、ＳＦＮ＝１６である時に放送が開始されるはずであるが、ＳＩ−１のディスバッチ規律に従って、ＳＩ−２もＳＦＮ＝１６である時に放送が開始されるので、本願によると、ＳＩ−６の放送はＳＩ−２の後に遅延される。
【００７１】
他のＳＦＮ％８＝０の位置において、本願による方法に従って、システムメッセージを順次放送し、例えば、ＳＦＮ＝３２の位置において、システムメッセージの放送順はＳＩ−１、ＳＩ−２、ＳＩ３であって、ＳＩ−１とＳＩ−２の起点は同一である。
【００７２】
上記のように、該実施例において、ＳＩ−１の送信ウィンドウが他のシステムメッセージの送信ウィンドウと重なることを許可すると共に、各システムメッセージの送信順を設定することによって、他のシステムメッセージに対するＳＩ−１の再送信の影響を低減すると共に、端末が各システムメッセージの送信開始時間及び終了時間を把握するようになり、必要に応じて選択的に受信することができる。
【００７３】
該方法実施例二において他の細部部分は方法実施例一の説明を参照することができる。同一又は類似する内容について、ここでは説明を省略する。
【００７４】
（方法実施例三）
本願の実施例によると、端末によって基地局から下り送信されるシステムメッセージを受信するシステムメッセージの受信方法を提供する。図８は、該システムメッセージの受信方法のフローチャートである。図８に示すように、該方法は以下のステップを含む（ステップＳ８０２−ステップＳ８０４）：
【００７５】
システムメッセージ１の受信ウィンドウを、システムフレーム番号でシステムメッセージ１のディスバッチ周期にモジュラ計算を行った結果が０である無線フレームから開始するように設定するステップＳ８０２と；
システムメッセージ１の受信ウィンドウにおいて、システムメッセージ１及びシステムメッセージ１以外の他のシステムメッセージを受信するステップＳ８０４とを含む。該実施例において、端末が他のシステムメッセージを受信するに用いられるサブフレームは、タイムスロットにおいて、システムメッセージ１を受信するに用いられるサブフレームと異なる。
【００７６】
システムメッセージ１以外の他のシステムメッセージの場合、さらに、予めシステムメッセージの受信順を、システムメッセージ１に配置されたシステムメッセージのディスバッチ情報の順に一致するように設定するステップと；予定の無線フレームのシステムフレーム番号で対応する一つ又は複数のシステムメッセージにモジュラ計算を行った結果が０である予定の関係に従って、複数の予定の無線フレーム及び各予定の無線フレームに対応する一つ又は複数のシステムメッセージを確定するステップと；予め設定した受信順に従って、予定の無線フレームにおいて確定された一つ又は複数のシステムメッセージを受信すると共に、受信ウィンドウが重なる場合、予め設定した受信順が先であるシステムメッセージを先に受信するステップを含むことが好ましい。
【００７７】
システムメッセージが連続式の再送信形態を取る場合、受信ウィンドウが重なる同一のシステムメッセージの場合、受信ウィンドウにおいて、同一のシステムメッセージを1回のみ受信するステップを更に含むことが好ましい。
【００７８】
以下、図４に示す実施例を例として該方法実施例を説明する。
ＳＩ−１のディスバッチ周期が８０ｍｓであると、ＳＦＮ％８＝０である無線フレームにおいてＳＩ−１の受信を開始し、具体的には、６４０ｍｓ内において、これらの無線フレームはＳＦＮ＝０、ＳＦＮ＝８、ＳＦＮ＝１６、ＳＦＮ＝３２、ＳＦＮ＝４０、ＳＦＮ＝４８、ＳＦＮ＝５６の無線フレームである。
【００７９】
ＳＩに配置されたディスバッチ情報の順がＳＩ−２、ＳＩ−３、ＳＩ−４、ＳＩ−５、ＳＩ−６であると、システムメッセージの受信順はＳＩ−１、ＳＩ−２、ＳＩ−３、ＳＩ−４、ＳＩ−５、ＳＩ−６である。
【００８０】
その後、６４０ｍｓ時間内において、ＳＦＮ＝０である無線フレームの場合、ＳＦＮ％８＝０、ＳＦＮ％１６＝０、ＳＦＮ％３２＝０、ＳＦＮ％６４＝０であるので、ＳＦＮ＝０である無線フレームにおいて受信されるシステムメッセージはＳＩ−１、ＳＩ−２、ＳＩ−３、ＳＩ−４、ＳＩ−５、ＳＩ−６であって、受信順はＳＩ−１、ＳＩ−２、ＳＩ−３、ＳＩ−４、ＳＩ−５、ＳＩ−６である。
【００８１】
上記の方法によると、同様に、ＳＦＮ＝８である無線フレームの場合、ＳＦＮ％８＝０であるので、ＳＦＮ＝８である無線フレームにおいて受信が開始されるシステムメッセージはＳＩ−１があり、ＳＦＮ＝１６である無線フレームの場合、ＳＦＮ％８＝０、ＳＦＮ％１６＝０であるので、ＳＦＮ＝１６である無線フレームにおいて受信が開始されるシステムメッセージはＳＩ−１、ＳＩ−２がある。類似に、ＳＦＮ＝２４である物理フレームの場合、ＳＦＮ％８＝０であるので、ＳＦＮ＝２４である無線フレームにおいて受信が開始されるシステムメッセージはＳＩ−１が；ＳＦＮ＝３２である物理フレームの場合、ＳＦＮ％８＝０、ＳＦＮ％１６＝０、ＳＦＮ％３２＝０であるので、ＳＦＮ＝３２である無線フレームにおいて受信が開始されるシステムメッセージはＳＩ−１、ＳＩ−２、ＳＩ−３が；ＳＦＮ＝４０である物理フレームの場合、ＳＦＮ％８＝０であるので、ＳＦＮ＝４０である無線フレームにおいて受信が開始されるシステムメッセージはＳＩ−１が；ＳＦＮ＝４８の無線フレームの場合、ＳＦＮ％８＝０、ＳＦＮ％１６＝０であるので、ＳＦＮ＝４８である無線フレームにおいて受信が開始されるシステムメッセージはＳＩ−１、ＳＩ−２が；ＳＦＮ＝5６である無線フレームの場合、ＳＦＮ％８＝０であるので、ＳＦＮ＝5６である無線フレームにおいて受信が開始されるシステムメッセージはＳＩ−１がある。
【００８２】
図４に示すように、ＳＦＮ＝０の位置において、受信したシステムメッセージ間の受信順はＳＩ−１、ＳＩ−２、ＳＩ−３、ＳＩ−４、ＳＩ−５、ＳＩ−６であって、ＳＩ−１とＳＩ−２は起点が同一である。
【００８３】
ＳＦＮ＝８の位置において、ＳＩ−４とＳＩ−１の受信ウィンドウが重なるので、本願の実施例によると、図４に示すように、ＳＩ−４とＳＩ−１は何れもＳＩ−１の受信ウィンドウ内で受信される。
【００８４】
ＳＦＮ＝１６の位置において、システムメッセージ間の受信順はＳＩ−１、ＳＩ−２で、ＳＩ−１とＳＩ−２は同時に受信される。ＳＩ−６は、ＳＦＮ＝１６である時に放送が開始されるはずであるが、ＳＩ−１のディスバッチ規律によって、ＳＩ−２もＳＦＮ＝１６である時に放送が開始されるので、本願によると、ＳＩ−６の放送はＳＩ−２の後に遅延される。
【００８５】
他のＳＦＮ％８＝０の位置において、本願による方法に従って、システムメッセージを順次受信し、例えば、ＳＦＮ＝３２の位置において、システムメッセージの受信順はＳＩ−１、ＳＩ−２、ＳＩ３で、ＳＩ−１とＳＩ−２の起点は同一である。
【００８６】
本願によると、ＳＩ−１の送信ウィンドウが他のシステムメッセージの送信ウィンドウに重なることを許可し、又はＳＩ−１の受信ウィンドウが他のシステムメッセージの受信ウィンドウに重なることを許可し、他のシステムメッセージに対するＳＩ−１の再送信の影響を低減し、各システムメッセージの送信順又は受信順を設定することによって、端末が各システムメッセージの送信又は受信の開始時間及び終了時間を取得し、必要に応じて選択的に受信することができる。
【００８７】
以上は、本発明の好適な実施例に過ぎず、本発明を限定するものではない。本発明は、様々な修正や変形が可能である。本発明の精神や原則内での如何なる修正、置換、改良なども本発明の保護範囲内に包含される。
【符号の説明】
【００８８】
ＳＦＮ  システムフレーム番号
ＳＩ    システムメッセージ
【図１】
0005506107.tif 000003
【図２】
0005506107.tif 000004
【図３】
0005506107.tif 000005
【図４】
0005506107.tif 000006
【図５】
0005506107.tif 000007
【図６】
0005506107.tif 000008
【図７】
0005506107.tif 000009
【図８】
0005506107.tif 000010